(57)【要約】【課題】表面が部分的に被覆剤で被覆された素材を形成することができる素材シートを提供すること。【解決手段】素材シート１によれば、図柄１０は、被覆部３０と露出部４０とを備えているので、図柄１０を切り取って形成される素材１０１の表面に、被覆部３０に対応して表面が被覆剤で被覆される部位と、露出部４０に対応して表面が露出する部位とを設けることができる。よって、表面が部分的に被覆剤で被覆された素材１０１を形成することができる。【選択図】図１
2009285598.tif 000002
【特許請求の範囲】
【請求項１】
シート状に形成される素材シートであって、所定領域が切り取られると共にその切り取られた部分が成形体の素材として使用される素材シートにおいて、
前記所定領域は、
表面が透明な被覆剤で被覆される被覆部と、
表面が露出する露出部とを備えていることを特徴とする素材シート。
【発明の詳細な説明】
【技術分野】
【０００１】
本発明は、所定領域が切り取られると共にその切り取られた部分が成形体の素材として使用される素材シートに関し、特に、表面が部分的に被覆剤で被覆された素材を形成することができる素材シートに関するものである。
【背景技術】
【０００２】
例えば、焼き菓子を収容するカップ（成形体）は、素材シートから所定の形状に切り取られた１又は複数の素材を組み合わせることにより成形されている（例えば、特許文献１）。
【特許文献１】特許第２０８３３５１号公報
【発明の開示】
【発明が解決しようとする課題】
【０００３】
ところで、上述したようなカップでは、焼き菓子をカップからはがす際に、カップに焼き菓子が付着することがある。そこで、本願発明者は、焼き菓子をカップからはがれ易くするために、素材の表面をシリコン等の被覆剤で被覆することを考案した（但し、本願出願時においては未公知）。
【０００４】
しかしながら、素材の表面を被覆剤で被覆する場合、糊代として利用する部位まで被覆すると、糊代における接着力が低下してしまうので、素材の表面全域を被覆剤で被覆するのは好ましくないという問題点があった。
【０００５】
本発明は、上述した問題点を解決するためになされたものであり、表面が部分的に被覆剤で被覆された素材を形成することができる素材シートを提供することを目的としている。
【課題を解決するための手段】
【０００６】
この目的を達成するために、請求項１記載の素材シートは、シート状に形成されるものであり、所定領域が切り取られると共にその切り取られた部分が成形体の素材として使用されるものであって、前記所定領域は、表面が透明な被覆剤で被覆される被覆部と、表面が露出する露出部とを備えている。
【発明の効果】
【０００７】
請求項１記載の素材シートによれば、所定領域は、表面が透明な被覆剤で被覆される被覆部と、表面が露出する露出部とを備えているので、所定領域を切り取って形成される素材の表面に、被覆部に対応して表面が被覆剤で被覆される部位と、露出部に対応して表面が露出する部位とを設けることができる。よって、表面が部分的に被覆剤で被覆された素材を形成することができるという効果がある。
【発明を実施するための最良の形態】
【０００８】
以下、本発明の好ましい実施の形態について、添付図面を参照して説明する。図１は、本発明の第１実施の形態における素材シート１の平面図である。なお、図１（ａ）は素材シート１の表側の面を、図１（ｂ）は素材シート１の裏側の面を、それぞれ図示している。
【０００９】
素材シート１は、焼き菓子を収容するカップ１００（図２参照）の素材となるものであり、上質紙から構成され、矩形のシート状に形成されている。この素材シート１の表側の面には、図１（ａ）に示すように、図柄１０及び図柄２０が印刷されている。
【００１０】
図柄１０は、その輪郭に沿って素材シート１から切り取られることにより素材１０１（図２参照）となるものであり、弧形短冊状の領域を有して構成されている。この図柄１０には、長手方向の一端側（図１（ａ）左側）に糊代１１が設けられると共に、弧の内縁側（図１（ａ）下側）に糊代１２が設けられている。図柄２０は、その輪郭に沿って素材シート１から切り取られることにより素材１０２（図２参照）となるものであり、円形状の領域を有して構成されている。
【００１１】
一方、図１（ｂ）に示すように、素材シート１の裏側の面には、図柄１０及び図柄２０の領域に対応して、部分的に透明な被覆剤（本実施の形態ではシリコン）が印刷され、表面が被覆剤で被覆される被覆部３０と、表面が露出する露出部４０とを備えている。
【００１２】
被覆剤は、カップ１００への焼き菓子の付着を防止するためのものであり、図柄１０では糊代１１及び糊代１２を除く範囲が、図柄２０では全範囲が、それぞれ被覆部３０として構成されている。これに対し、糊代１１及び糊代１２は、露出部４０として構成されている。なお、本実施の形態における素材シート１では、図柄１０及び図柄２０以外の範囲は、露出部４０として構成されている。
【００１３】
次いで、図２を参照して、素材シート１から成形されるカップ１００について説明する。図２（ａ）は、カップ１００の斜視図であり、図２（ｂ）は、カップ１００の分解図である。
【００１４】
上述したように構成される素材シート１から図柄１０を切り取ることにより素材１０１が、図柄２０を切り取ることにより素材１０２が、それぞれ形成される。ここで、図柄１０は、被覆部３０と露出部４０とを備えているので、図柄１０を切り取って形成される素材１０１の表面に、被覆部３０に対応して表面が被覆剤で被覆される部位と、露出部４０に対応して表面が露出する部位とを設けることができる。よって、表面が部分的に被覆剤で被覆された素材１０１を形成することができる。
【００１５】
そして、図２（ａ）に示すように、形成された素材１０１の糊代１１に接着剤を塗布して長手方向の両端を接着すると共に、糊代１２に接着剤を塗布して素材１０１と素材１０２とを接着することによりカップ１００が成形される。
【００１６】
この場合、糊代１１及びその糊代１１が接着される部位は、いずれも露出部４０に対応して表面が露出する部位となるので、接着剤の接着力が被覆剤により妨げられることがなく、糊代１１における接着力を確保することができる。同様に、糊代１２及びその糊代１２が接着される部位は、いずれも露出部４０に対応して表面が露出する部位となるので、接着剤の接着力が被覆剤により妨げられることがなく、糊代１２における接着力を確保することができる。
【００１７】
次いで、図３を参照して、第２実施の形態における素材シート２０１について説明する。図３（ａ）は、本発明の第２実施の形態における素材シート２０１の平面図であり、図３（ｂ）は、素材シート２０１から形成される敷紙３００を食品Ｆの下に敷いた状態を示す斜視図である。なお、第１実施の形態と同一の構成については、同一の符号を付してその説明を省略する。
【００１８】
素材シート２０１は、敷紙３００の素材となるものであり、グラシン紙から構成され、矩形のシート状に形成されている。この素材シート２０１の表面には、図３（ａ）に示すように、図柄２１０が印刷されている。
【００１９】
図柄２１０は、その輪郭に沿って素材シート２０１から切り取られることにより敷紙３００となるものであり、円形状の領域を有して構成されている。また、図３（ａ）に示すように、図柄２１０の領域には、部分的に透明な被覆剤（本実施の形態ではシリコン）が印刷され、図柄２１０の中心から放射状に設けられる被覆部３０と、その被覆部３０以外の範囲に設けられる露出部４０とを備えている。なお、本実施の形態における素材シート２０１では、図柄２１０以外の範囲は、露出部４０として構成されている。
【００２０】
上述したように構成される素材シート２０１から図柄２１０を切り取ることにより敷紙３００が形成される。ここで、図柄２１０は、被覆部３０と露出部４０とを備えているので、図柄２１０を切り取って形成される敷紙３００の表面に、被覆部３０に対応して表面が被覆剤で被覆される部位と、露出部４０に対応して表面が露出する部位とを設けることができる。よって、表面が部分的に被覆剤で被覆された敷紙３００を形成することができる。
【００２１】
敷紙３００は、図３（ｂ）に示すように、表面に粘着性を有する食品Ｆ（本実施の形態では、肉まん）の下に敷かれたり、或いは、調理することにより表面に粘着性が生じる食品Ｆの下に敷かれて食品Ｆと共に調理される。かかる敷紙３００によれば、被覆部３０で食品Ｆを受けることにより、食品Ｆを敷紙３００からはがれ易くすることができる。
【００２２】
なお、本実施の形態では、図柄２１０が円形状の領域を有して構成される場合を説明したが、必ずしもこれに限られるものではなく、例えば、楕円形状や矩形状などの他形状の領域を有するように構成しても良い。また、本実施の形態では、被覆部３０が放射状に構成される場合を説明したが、必ずしもこれに限られるものではなく、例えば、円形状や矩形状などの他形状に構成しても良い。
【００２３】
次いで、図４を参照して、第３実施の形態における素材シート４０１について説明する。図４（ａ）は、本発明の第３実施の形態における素材シート４０１の平面図であり、図４（ｂ）は、素材シート４０１から成形される包装袋５００によって粘着物Ａを包装した状態を示す斜視図である。なお、上記実施の形態と同一の構成については、同一の符号を付してその説明を省略する。
【００２４】
素材シート４０１は、包装袋５００の素材となるものであり、ＯＰＰフィルムから構成され、矩形のシート状に形成されている。この素材シート４０１の表面には、図４（ａ）に示すように、図柄４１０が印刷されている。
【００２５】
図柄４１０は、その輪郭に沿って素材シート４０１から切り取られることにより包装袋５００となるものであり、矩形状の領域を有して構成されている。また、図４（ａ）に示すように、図柄４１０の領域には、部分的に透明な被覆剤（本実施の形態ではシリコン）が印刷され、図柄４１０の中央に矩形状に設けられる被覆部３０と、その被覆部３０の外周に設けられる露出部４０とを備えている。なお、本実施の形態における素材シート４０１では、図柄４１０以外の範囲は、露出部４０として構成されている。
【００２６】
上述したように構成される素材シート４０１から図柄４１０を切り取ることにより包装袋５００が形成される。ここで、図柄４１０は、被覆部３０と露出部４０とを備えているので、図柄４１０を切り取って形成される包装袋５００の表面に、被覆部３０に対応して表面が被覆剤で被覆される部位と、露出部４０に対応して表面が露出する部位とを設けることができる。よって、表面が部分的に被覆剤で被覆された包装袋５００を形成することができる。
【００２７】
そして、図４（ｂ）に示すように、露出部４０に接着剤を塗布して接着することにより包装袋５００が袋状に成形される。この場合、露出部４０に対応して表面が露出する部位を糊代として利用することで、接着剤の接着力が被覆剤により妨げられることがなく、糊代における接着力を確保することができる。
【００２８】
包装袋５００は、図４（ｂ）に示すように、粘着面を有する粘着物Ａ（本実施の形態では、ビニールテープ）を包装したり、或いは、粘着物Ａの粘着面を埃などから保護するために使用される。かかる包装袋５００によれば、被覆部３０で粘着物Ａの粘着面を受けることにより、包装された粘着物Ａを包装袋５００から取り出し易くすることができる。
【００２９】
なお、本実施の形態では、図柄４１０が矩形状の領域を有して構成される場合を説明したが、必ずしもこれに限られるものではなく、例えば、円形状や楕円形状などの他形状の領域を有するように構成しても良い。また、本実施の形態では、被覆部３０が矩形状に構成される場合を説明したが、必ずしもこれに限られるものではなく、例えば、円形状や楕円形状などの他形状に構成しても良い。
【００３０】
次いで、図５を参照して、第４実施の形態における素材シート６０１について説明する。図５（ａ）は、本発明の第４実施の形態における素材シート６０１の平面図であり、図５（ｂ）は、素材シート６０１から成形されるパッケージ７００によって物品Ｇを包装した状態を示す斜視図である。なお、上記実施の形態と同一の構成については、同一の符号を付してその説明を省略する。
【００３１】
素材シート６０１は、パッケージ７００の素材となるものであり、ＰＶＡフィルムから構成され、矩形のシート状に形成されている。この素材シート６０１の表面には、図５（ａ）に示すように、図柄６１０及び図柄６２０が印刷されている。
【００３２】
図柄６１０は、その輪郭に沿って素材シート６０１から切り取られることにより素材７０１となるものであり、矩形状の領域を有して構成されている。図柄６２０は、その輪郭に沿って素材シート６０１から切り取られることにより素材７０２となるものであり、図柄６１０と同一な矩形状の領域を有して構成されている。また、図５（ａ）に示すように、図柄６２０の領域には、部分的に透明な被覆剤（本実施の形態ではシリコン）が印刷され、図柄６２０の一角部（図５（ａ）右下の角部）に設けられる被覆部３０と、その被覆部３０以外の範囲に設けられる露出部４０とを備えている。なお、本実施の形態における素材シート６０１では、図柄６１０の領域を含め図柄６２０以外の範囲は、露出部４０として構成されている。
【００３３】
上述したように構成される素材シート６０１から図柄６１０を切り取ることにより素材７０１が、図柄６２０を切り取ることにより素材７０２が、それぞれ形成される。ここで、図柄６２０は、被覆部３０と露出部４０とを備えているので、図柄６２０を切り取って形成される素材７０２の表面に、被覆部３０に対応して表面が被覆剤で被覆される部位と、露出部４０に対応して表面が露出する部位とを設けることができる。よって、表面が部分的に被覆剤で被覆された素材７０２を形成することができる。
【００３４】
そして、図５（ｂ）に示すように、形成された素材７０１又は素材７０２の外周部に接着剤を塗布して素材７０１と素材７０２とを接着することによりパッケージ７００が成形される。
【００３５】
パッケージ７００は、図５（ｂ）に示すように、素材７０１と素材７０２との間に物品Ｇ（本実施の形態では、ハム）を包装したり、或いは、真空を保ちつつ物品Ｇを保存するために使用される。かかるパッケージ７００によれば、素材７０２の外周部を糊代として利用することで、素材７０２の一角部に設けられ被覆部３０に対応して表面が被覆剤で被覆される部位では、接着剤の接着力が被覆剤により妨げられて、糊代における接着力を低下させることができる。これにより、かかる部位から素材７０１と素材７０２とを分離することで、物品Ｇをパッケージ７００から取り出し易くすることができる。
【００３６】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【００３７】
例えば、上記第１実施の形態では素材シート１が上質紙から構成され、上記第２実施の形態では素材シート２０１がグラシン紙から構成され、上記第３実施の形態では素材シート４０１がＯＰＰフィルムから構成され、上記第４実施の形態では素材シート６０１がＰＶＡフィルムから構成される場合を説明したが、必ずしもこれらの材質に限られるものではなく、他の種類の洋紙や樹脂製のフィルム等から構成しても良い。なお、樹脂製のフィルムとしては、例えば、ポリエステルフィルム、ナイロンフィルム又はＯＰＳフィルム等が例示される。また、素材シート１，２０１，４０１，６０１は、それ単体で構造を成り立たせるものに限られず、複数のシートを層状に接合した構造であっても良い。更に、素材シート１，２０１，４０１，６０１は、透明なものに限られず、不透明であっても良い。
【００３８】
上記各実施の形態では、素材シート１，２０１，４０１，６０１が矩形に形成される場合を説明したが、必ずしもこれに限られるものではなく、例えば、巻回されてロール状に形成されていても良い。また、素材シート１，２０１，４０１，６０１は、厚さが規定されるものではない。
【００３９】
上記各実施の形態では、カップ１００、敷紙３００、包装袋５００又はパッケージ７００を成形体とする場合を説明したが、必ずしもこれに限られるものではなく、成形体は他のものであっても良い。
【００４０】
上記各実施の形態では、素材シート１からカップ１００を、素材シート２０１から敷紙３００を、素材シート４０１から包装袋５００を、素材シート６０１からパッケージ７００を、それぞれ各１つずつ形作る場合を説明したが、必ずしもこれに限られるものではなく、例えば、２つ又は３つ、或いは４つ以上を形作っても良い。
【００４１】
上記各実施の形態では、被覆剤をシリコンとする場合を説明したが、必ずしもこれに限られるものではなく、他の被覆剤としても良い。他の被覆剤としては、例えば、撥水剤、帯電防止剤、耐油剤または粘着剤などが例示される。
【図面の簡単な説明】
【００４２】
【図１】本発明の第１実施の形態における素材シートの平面図である。
【図２】（ａ）は、カップの斜視図であり、（ｂ）は、カップの分解図である。
【図３】（ａ）は、本発明の第２実施の形態における素材シートの平面図であり、（ｂ）は、素材シートから形成される敷紙を食品の下に敷いた状態を示す斜視図である。
【図４】（ａ）は、本発明の第３実施の形態における素材シートの平面図であり、（ｂ）は、素材シートから形成される包装紙によって粘着物を包装した状態を示す斜視図である。
【図５】（ａ）は、本発明の第４実施の形態における素材シートの平面図であり、（ｂ）は、素材シートから成形されるパッケージによって物品を包装した状態を示す斜視図である。
【符号の説明】
【００４３】
１，２０１，４０１，６０１                  素材シート
１０，２０，２１０，４１０，６１０，６２０  図柄（所定領域）
３０                                        被覆部
４０                                        露出部
１００                                      カップ（成形体）
３００                                      敷紙（成形体）
５００                                      包装紙（成形体）
７００                                      パッケージ（成形体）
【図１】
2009285598.tif 000003
【図２】
2009285598.tif 000004
【図３】
2009285598.tif 000005
【図４】
2009285598.tif 000006
【図５】
2009285598.tif 000007